(57)【要約】【課題】本発明は放電生成物発生装置に搭載された送風装置に関するもので、送風装置の組立作業性の更なる向上ができるものである。【解決手段】そしてこの目的を達成するために本発明は、吹出口７と吸込口８とを設けた箱形状の本体ケース１と、この本体ケース１内に吸込口８から吹出口７に送風する送風手段２を備え、本体ケース１は、第１の本体ケース部５と第２の本体ケース部６とから形成し、第１の本体ケース部５は、本体ケース１における天面部５ａ、前面側部５ｂ、および後面側部５ｃとを有する略コの字形状で、第２の本体ケース部６は、本体ケース１における底面部６ａ、右面側部６ｂ、および左面側部６ｃとを有する略コの字形状であると共に、第１の本体ケース部５の内面に接触する構成としたことにより、送風装置の組立作業性の更なる向上ができるものである。【選択図】図２
2014020709.tif 000002
【特許請求の範囲】
【請求項１】
吹出口と吸込口とを設けた箱形状の本体ケースと、この本体ケース内に前記吸込口から前記吹出口に送風する送風手段を備え、前記本体ケースは、第１の本体ケース部と第２の本体ケース部とから形成し、前記第１の本体ケース部は、前記本体ケースにおける天面部、前面側部、および後面側部とを有する略コの字形状で、前記第２の本体ケース部は、前記本体ケースにおける底面部、右面側部、および左面側部とを有する略コの字形状であると共に、前記第１の本体ケース部の内面に接触する構成としたことを特徴とする送風装置。
【請求項２】
前記第１の本体ケース部は、前記天面部と前記前面側部と前記後面側部とが一体で構成すると共に、前記前面側部と前記後面側部とが外方へ弾性変位することを特徴とする請求項１に記載の送風装置。
【請求項３】
前記第１の本体ケース部の前記天面部には、前記吹出口を備えたことを特徴とする請求項１または２に記載の送風装置。
【請求項４】
前記第１の本体ケース部の前記天面部と前記前面側部とに連通した前記吹出口を備えたことを特徴とする請求項１または２に記載の送風装置。
【請求項５】
前記本体ケースにおける前後方向の長さは、前記本体ケースにおける左右方向の長さより短いと共に、片手で掴むことができる長さであることを特徴とする請求項１から４のいずれかに記載の送風装置。
【請求項６】
前記第１の本体ケース部は、前記前面側部と前記後面側部との距離は、上部より下部の方が長いことを特徴とする請求項１から５のいずれかに記載の送風装置。
【請求項７】
前記吹出口には、風向変更手段を装着可能な構成とし、前記風向変更手段は、前記天面部と前記前面側部と前記後面側部と、前記前面側部と前記後面側部とに設けた固定部とによって挟まれ固定されることを特徴とする請求項２から６のいずれかに記載の送風装置。
【請求項８】
前記前面側部、および前記後面側部は、それぞれの下端部が、それぞれの上端部より外方に位置すると共に、前記吸込口は、前記前面側部または前記後面側部に設けたことを特徴とする請求項１から７のいずれかに記載の送風装置。
【発明の詳細な説明】
【技術分野】
【０００１】
本発明は、高電圧を印加することにより放電生成物を生成し、除菌や脱臭を行なう放電生成物発生装置に搭載された送風装置に関する。
【背景技術】
【０００２】
従来のこの種の放電生成物発生装置に搭載された送風装置の構成は以下のようになっていた。
【０００３】
すなわち、吹出口と吸込口とを設けた本体ケースと、この本体ケース内の吸込口から吹出口への風路に、放電生成物発生手段とを備えた構成となっていた。（例えば、これに類似する先行文献は下記特許文献１に記載されている。）
【先行技術文献】
【特許文献】
【０００４】
【特許文献１】特開２０１１−０３３３０４号公報
【発明の概要】
【発明が解決しようとする課題】
【０００５】
上記従来例における課題は、送風装置の組立作業性の更なる向上ということであった。
【０００６】
すなわち、従来の物においては、本体ケースは、上面が開口した縦長箱形状であるため、本体ケース内に装着する部品を手で掴んで挿入し、その部品を手で支えながら本体ケースの底から順次固定する組立作業は、困難な作業であった。
【０００７】
そこで、まず、本体ケース内に装着する複数の部品を一つのユニットに組立て、次に、そのユニットを上面が開口した縦長箱形状の本体ケースに上方から挿入し、最後に、挿入したユニットを本体ケースに固定して組立てるものであった。
【０００８】
このように、１つの開口からユニットを挿入し、ユニットを本体ケースに固定するので、ユニットと本体ケースとの位置合わせが難しいものであった。
【０００９】
そこで本発明は、送風装置の組立作業性の更なる向上を目的とするものである。
【課題を解決するための手段】
【００１０】
そしてこの目的を達成するために本発明は、吹出口と吸込口とを設けた箱形状の本体ケースと、この本体ケース内に前記吸込口から前記吹出口に送風する送風手段を備え、前記本体ケースは、第１の本体ケース部と第２の本体ケース部とから形成し、前記第１の本体ケース部は、前記本体ケースにおける天面部、前面側部、および後面側部とを有する略コの字形状で、前記第２の本体ケース部は、前記本体ケースにおける底面部、右面側部、および左面側部とを有する略コの字形状であると共に、前記第１の本体ケース部の内面に接触する構成であり、これにより、初期の目的を達成するものである。
【発明の効果】
【００１１】
以上のように本発明は、吹出口と吸込口とを設けた箱形状の本体ケースと、この本体ケース内に前記吸込口から前記吹出口に送風する送風手段を備え、前記本体ケースは、第１の本体ケース部と第２の本体ケース部とから形成し、前記第１の本体ケース部は、前記本体ケースにおける天面部、前面側部、および後面側部とを有する略コの字形状で、前記第２の本体ケース部は、前記本体ケースにおける底面部、右面側部、および左面側部とを有する略コの字形状であると共に、前記第１の本体ケース部の内面に接触する構成とし、送風装置の組立作業性の更なる向上を目的とするものである。
【００１２】
すなわち、第１の本体ケース部は、本体ケースにおける天面部、前面側部、および後面側部とを有する略コの字形状で、第２の本体ケース部は、本体ケースにおける底面部、右面側部、および左面側部とを有する略コの字形状である。これにより、送風手段、放電生成物発生手段とを第１の本体ケース部、第２の本体ケース部に装着する場合に、それぞれ本体ケースにおける連続した３面に開口があるので、容易に装着できる。
【００１３】
更に、第２の本体ケース部は、第１の本体ケース部の内面に接触する構成なので、送風手段を第１の本体ケース部、または第２の本体ケース部に装着後、第１の本体ケース部と第２の本体ケース部との位置合わせが容易にできる。
【００１４】
これらの結果により、送風装置の組立作業性の更なる向上ができるものである。
【図面の簡単な説明】
【００１５】
【図１】本発明の実施の形態１の送風装置の概略図
【図２】同送風装置の展開図
【図３】同送風装置の概略断面を示す図
【図４】同送風装置の放電生成物発生部の斜視図
【図５】同送風装置の放電生成物発生部の斜視図
【図６】同送風装置の第１の本体ケース部と風向変更手段の斜視図
【図７】同送風装置の第１の本体ケース部と風向変更手段の斜視図
【発明を実施するための形態】
【００１６】
以下、本実施形態を添付図面を用いて説明する。
【００１７】
（実施の形態１）
図１から３に示すように、本実施形態の放電生成物発生装置に搭載された送風装置は、箱形状の本体ケース１に、送風手段２と、放電生成物発生手段３と、風向変更手段４とを備えている。
【００１８】
本体ケース１は、第１の本体ケース部５と第２の本体ケース部６とから形成している。第１の本体ケース部５は、箱形状の本体ケース１における天面部５ａ、前面側部５ｂ、および後面側部５ｃとを有し、前後方向に伸びた垂直断面での形状が略コの字形状である。この天面部５ａと前面側部５ｂとに、吹出口７を備え、この吹出口７には、風向変更手段４を備えている。第１の本体ケース部５の後面側部５ｃには、吸込口８を備えている。
【００１９】
第２の本体ケース部６は、箱形状の本体ケース１における底面部６ａ、右面側部６ｂ、および左面側部６ｃとを有し、左右方向に伸びた垂直断面での形状が略コの字形状である。この第２の本体ケース部６の底面部６ａから、第１の本体ケース部５へねじ等により固定することにより、本体ケース１を形成する。なお、第２の本体ケース部６は、底面部６ａ、右面側部６ｂ、左面側部６ｃは、それぞれ別々の部品でも良い。第１の本体ケース部５へ、底面部６ａ、右面側部６ｂ、左面側部６ｃを順次嵌め合わせ、最後に、底面部６ａから、第１の本体ケース部５へねじ等により固定することにより、本体ケース１を形成出来れば良い。
【００２０】
送風手段２は、スクロール形状のケーシング部９と、このケーシング部９に固定されたモータ部１０と、このモータ部１０によって回転する遠心送風型の羽根部１１とから形成している。ケーシング部９は、上方に開口した吐出口１２を有し、本体ケース１の吸込口８に対向して吸気口１３を備えている。
【００２１】
放電生成物発生手段３は、図２、４、５に示すように、放電生成物発生部１４と回路部とを備えている。
【００２２】
放電生成物発生部１４は、ケーシング部９の吐出口１２の近傍に位置し、連通路（図示せず）を介してケーシング部９内と連通している。放電生成物発生部１４は、ケース部１５内に位置し、このケース部１５はケーシング部９に着脱自在である。放電生成物発生部１４は、放電電極１６と、この放電電極１６に対向して配置された対向電極１７とを有している。この放電電極１６を冷却する冷却部として配置したペルチェ素子１８を備えている。回路部は、これらの対向電極１７と放電電極１６間に高電圧（この実施形態では−５ＫＶ）を印加するものである。回路部は、ケース部１５の下方に位置している。
【００２３】
ペルチェ素子１８には０．７５Ｖ〜２．８Ｖ程度の電圧を印加するものであり、この実施形態では、放電電極１６側を低温にする。この放電電極１６部分で冷却されることで、結露すると、放電生成物である帯電微粒子水が発生することになる。この帯電微粒子水中のヒドロキシルラジカルが臭いと反応し、それを酸化させることで、臭いを分解することができるのである。
【００２４】
ヒドロキシルラジカルはヒドロキシ基（水酸基）に反応するラジカルであり、このラジカルは通常２個１組で軌道上を回転しているはずの電子が１つしかないので、電気的に非常に不安定で、周りの原子や分子から欠けた電子を奪おうとするために、酸化力が非常に強いものであり、この酸化作用により臭いが分解、除去されるのである。
【００２５】
以上の構成における動作について説明する。まず、モータ部１０によって羽根部１１が回転すると、本体ケース１の吸込口８から空気を吸い込み、この吸い込まれた空気が、ケーシング部９の吸気口１３からケーシング部９内に入り、ケーシング部９の吐出口１２から本体ケース１の吹出口７へ送風される。また、放電生成物発生部１４で発生したヒドロキシルラジカルは、連通路を介してケーシング部９内に誘引され、本体ケース１の吸込口８から吸い込まれた空気に混じって、本体ケース１の吹出口７から本体ケース１外へ送風される。
【００２６】
本実施形態における特徴は、本体ケース１の構成である。図２に示すように、本体ケース１は、第１の本体ケース部５と第２の本体ケース部６とから形成している。すなわち、第１の本体ケース部５は、本体ケース１における天面部５ａ、前面側部５ｂ、および後面側部５ｃとを有する略コの字形状で、第２の本体ケース部６は、本体ケース１における底面部６ａ、右面側部６ｂ、および左面側部６ｃとを有する略コの字形状である。これにより、送風手段２、放電生成物発生手段３とを第１の本体ケース部５、第２の本体ケース部６に装着する場合に、それぞれ本体ケース１における連続した３面に開口があるので、容易に装着できる。
【００２７】
更に、第２の本体ケース部６は、第１の本体ケース部５の内面に接触する構成なので、送風手段２、放電生成物発生手段３とを第１の本体ケース部５、第２の本体ケース部６に装着後、第１の本体ケース部５と第２の本体ケース部６との位置合わせが容易にできる。
【００２８】
これらの結果により、放電生成物発生装置の組立作業性の更なる向上ができるものである。
【００２９】
また、第１の本体ケース部５と第２の本体ケース部６とを合わせると、第２の本体ケース部６の外周端部と、第１の本体ケース部５の内面周縁部とが接触する。つまり、第１の本体ケース部５の外周端部と、第２の本体ケース部６との外面とが実質的に同一面となり、第１の本体ケース部５と第２の本体ケース部６との位置合わせが容易にできる。
【００３０】
第１の本体ケース部５は、天面部５ａと前面側部５ｂと後面側部５ｃとが一体で構成すると共に、前面側部５ｂと後面側部５ｃとが外方へ弾性変位することを特徴とするものである。具体的には、第１の本体ケース部５は、可撓性の樹脂によって、天面部５ａと前面側部５ｂと後面側部５ｃとが一体成型で作られている。つまり、前面側部５ｂと後面側部５ｃとを外方へ広げると、天面部５ａ、前面側部５ｂ、および後面側部５ｃとが弾性変形し、つまり外方へ撓み、天面部５ａ、前面側部５ｂ、および後面側部５ｃとに囲まれた、第２の本体ケース部６が嵌る開口を広げることができる。
【００３１】
これにより、前面側部５ｂと後面側部５ｃとを外方へ広げ、前面側部５ｂと後面側部５ｃとの間の３面の開口を広げながら、第１の本体ケース部５内に部品を装着できるので、第１の本体ケース部５への部品の装着が容易になる。
【００３２】
第１の本体ケース部５の天面部５ａには、吹出口７を備えたことを特徴とするのである。この吹出口７は、横長四角形状で、天面部５ａの中央に位置するものである。
【００３３】
これにより、前面側部５ｂと後面側部５ｃとの間の天面部５ａの面積が小さいので、前面側部５ｂと後面側部５ｃとを外方へ広げると、天面部５ａが変形し易くなる。結果として、前面側部５ｂと後面側部５ｃとを外方へ広げ、開口を広げながら、第１の本体ケース部５内に部品を装着できるので、第１の本体ケース部５への部品の装着が容易になる。
【００３４】
第１の本体ケース部５の天面部５ａと前面側部５ｂとに連通した吹出口７を備えたことを特徴とするのである。図６に示すように、この吹出口７は、天面部５ａの中央に位置する横長四角形状の開口と、前面側部５ｂの上部中央に位置する横長四角形状の開口とからなり、これら２つの開口が、連通したものである。
【００３５】
これにより、前面側部５ｂと後面側部５ｃとの間の天面部５ａの面積が小さく、更に前面側部５ｂの天面部５ａ寄りの面積も小さくなるので、前面側部５ｂと後面側部５ｃとを外方へ広げると、天面部５ａおよび前面側部５ｂが変形し易くなる。結果として、前面側部５ｂと後面側部５ｃとを外方へ広げ、３面に開口を広げながら、第１の本体ケース部５内に部品を装着できるので、第１の本体ケース部５への部品の装着が容易になる。
【００３６】
吹出口７には、図２、図５および図６に示すように、風向変更手段４を装着可能な構成とし、風向変更手段４は、天面部５ａと前面側部５ｂと後面側部５ｃと、前面側部５ｂと後面側部５ｃとに設けた固定部１９とによって挟まれ固定されることを特徴とするのである。
【００３７】
具体的には、固定部１９は、前面側部５ｂの上部内面から内方に伸びた複数の前面側爪部２０と、後面側部５ｃの上部内面から内方に伸びた複数の後面側爪部２１からなる。ここで、前面側部５ｂと後面側部５ｃとを外方へ広げながら、風向変更手段４を吹出口７に合わせ、前面側部５ｂと後面側部５ｃとを元に戻すと、風向変更手段４は、天面部５ａ、前面側部５ｂ、後面側部５ｃ、前面側爪部２０、後面側爪部２１とに挟まれ固定される。すなわち、ねじ等による固定が必要ないので、組立性が向上する。
【００３８】
風向変更手段４は、風向ルーバー部２２と、この風向ルーバー部２２を回動自在に保持するルーバー保持部２３とから形成している。風向ルーバー部２２は、横長四角平板形状のルーバー２４と、風向ルーバー部２２が水平時に、このルーバー２４の短辺から下方に伸びた略台形平板形状の軸固定部２５と、この軸固定部２５から水平外方に伸びた軸部２６とから形成している。ルーバー保持部２３は、本体ケース１における天面側と前面側とが開口した略箱形状で、底面に連通口２７を有し、本体ケース１における左右側面側に、上端が開口した略Ｌ字形状の切欠部２８を有する。この切欠部２８で、風向ルーバー部２２の軸部２６を回動自在に支持する。切欠部２８は、本体ケース１における左右側面の上端から下方へ伸びた垂直切欠部２９と、この垂直切欠部２９の下部から水平方向へ伸びた水平切欠部３０とから形成している。第１の本体ケース部５の天面部５ａ内面から下方へ伸びた複数の天面爪部を有する。
【００３９】
以上の構成において、風向変更手段４の第１の本体ケース部５への組立について説明する。まず、風向ルーバー部２２の軸部２６をルーバー保持部２３の切欠部２８の上端開口から垂直切欠部２９の下方へ挿入し、次に、切欠部２８の水平切欠部３０に沿って水平方向へ移動させる。これにより、風向ルーバー部２２の軸部２６は、水平切欠部３０の終端部に位置する。この状態で、前面側部５ｂと後面側部５ｃとを外方へ広げながら、ルーバー保持部２３を吹出口７に合わせ、前面側部５ｂと後面側部５ｃとを元に戻すと、ルーバー保持部２３は、天面部５ａ、前面側部５ｂ、後面側部５ｃ、前面側爪部２０、後面側爪部２１とに挟まれ固定されると共に、天面部５ａの内面から垂直下方に伸びた平板形状の天面爪部３１は、切欠部２８の垂直切欠部２９を塞ぐ。これにより、風向ルーバー部２２の軸部２６が、切欠部２８の水平切欠部３０に沿って水平方向へ移動するのを抑制する。また、風向ルーバー部２２を持ち上げれた場合に、ルーバー保持部２３の左右側面を介して、第１の本体ケース部５の天面部５ａに力がかかるので、第１の本体ケース部５の天面部５ａの変形を抑制できる。
【００４０】
また、ケーシング部９には、内部に放電生成物発生部１４を備えたケース部１５と、回路部とを装着し、１つのユニット３２とする。このユニット３２を第２の本体ケース部６に装着した状態で、第１の本体ケース部５へ嵌め合わせ、最後に、底面部６ａから、第１の本体ケース部５へねじ等により固定することにより、本体ケース１を形成できる。
【００４１】
本体ケース１における前後方向の長さは、本体ケース１における左右方向の長さより短いと共に、片手で掴むことができる長さであることを特徴とするのである。
【００４２】
これにより、本体ケース１を手で掴む場合に、前面側部５ｂと後面側部５ｃとを手で掴み易くなる。ここで、前面側部５ｂと後面側部５ｃとの間には、第２の本体ケース部６が位置するので、前面側部５ｂと後面側部５ｃとは手で掴まれても変形し難いものである。
【００４３】
第１の本体ケース部は、前面側部５ｂと後面側部５ｃとの距離は、上部より下部の方が長いことを特徴とするのである。すなわち、前面側部５ｂと後面側部５ｃとの下端部での開口が広くなるので、第１の本体ケース部５への部品の装着が容易になる。
【００４４】
前面側部５ｂ、および後面側部５ｃは、それぞれの下端部が、それぞれの上端部より外方に位置すると共に、吸込口は、前面側部５ｂまたは後面側部５ｃに設けたことを特徴とするのである。これにより、食器棚の側板近傍に放電生成物発生装置が置かれた場合にも、食器棚の側板と前面側部５ｂ、および後面側部５ｃの間に空間を有するので、食器棚の側板によって塞がれるのを抑制できる。
【産業上の利用可能性】
【００４５】
以上のように本発明は、吹出口と吸込口とを設けた箱形状の本体ケースと、この本体ケース内に前記吸込口から前記吹出口に送風する送風手段を備え、前記本体ケースは、第１の本体ケース部と第２の本体ケース部とから形成し、前記第１の本体ケース部は、前記本体ケースにおける天面部、前面側部、および後面側部とを有する略コの字形状で、前記第２の本体ケース部は、前記本体ケースにおける底面部、右面側部、および左面側部とを有する略コの字形状であると共に、前記第１の本体ケース部の内面に接触する構成とし、送風装置の組立作業性の更なる向上を目的とするものである。
【００４６】
すなわち、第１の本体ケース部は、本体ケースにおける天面部、前面側部、および後面側部とを有する略コの字形状で、第２の本体ケース部は、本体ケースにおける底面部、右面側部、および左面側部とを有する略コの字形状である。これにより、送風手段、放電生成物発生手段とを第１の本体ケース部、第２の本体ケース部に装着する場合に、それぞれ本体ケースにおける連続した３面に開口があるので、容易に装着できる。
【００４７】
更に、第２の本体ケース部は、第１の本体ケース部の内面に接触する構成なので、送風手段を第１の本体ケース部、または第２の本体ケース部に装着後、第１の本体ケース部と第２の本体ケース部との位置合わせが容易にできる。
【００４８】
これらの結果により、送風装置の組立作業性の更なる向上ができるものである。
【００４９】
従って、家庭用、事務所用、車内用などの、放電生成物装置として活用が期待されるものである。
【符号の説明】
【００５０】
１    本体ケース
２    送風手段
３    放電生成物発生手段
４    風向変更手段
５    第１の本体ケース部
５ａ  天面部
５ｂ  前面側部
５ｃ  後面側部
６    第２の本体ケース部
６ａ  底面部
６ｂ  右面側部
６ｃ  左面側部
７    吹出口
８    吸込口
９    ケーシング部
１０  モータ部
１１  羽根部
１２  吐出口
１３  吸気口
１４  放電生成物発生部
１５  ケース部
１６  放電電極
１７  対向電極
１８  ペルチェ素子
１９  固定部
２０  前面側爪部
２１  後面側爪部
２２  風向ルーバー部
２３  ルーバー保持部
２４  ルーバー
２５  軸固定部
２６  軸部
２７  連通口
２８  切欠部
２９  垂直切欠部
３０  水平切欠部
３１  天面爪部
３２  ユニット
【図１】
2014020709.tif 000003
【図２】
2014020709.tif 000004
【図３】
2014020709.tif 000005
【図４】
2014020709.tif 000006
【図５】
2014020709.tif 000007
【図６】
2014020709.tif 000008
【図７】
2014020709.tif 000009